(57)【特許請求の範囲】
【請求項１】
予め定められた複数の放送電波のいずれかを受信する放送受信装置であって、
前記複数の放送電波の周波数および放送地域および放送局の系列に係る情報を予め関連付けて記憶しておく放送情報記憶手段と、前記放送情報記憶手段に記憶されている複数の周波数の全てまたは一部の周波数に対応する複数の放送電波を順次受信し前記受信した放送電波の各々の受信強度を測定する受信強度測定手段と、前記受信強度測定手段を定期的または非定期に起動する受信強度測定起動手段と、前記受信強度測定手段が測定した受信強度に係る情報を前記操作者へ提示する受信強度提示手段と、前記複数の周波数のいずれかを自受信装置を操作する操作者に選択させる操作者周波数選択手段と、前記複数の周波数のいずれかを放送受信周波数として設定する受信周波数設定手段と、を有し、
前記受信強度測定起動手段は、現在設定されている放送受信周波数が設定されてから所定の時間が経過したか否かを判定し、所定の時間が経過したと判定した場合に前記受信強度測定手段を起動し、
前記受信強度提示手段は、現在設定されている放送受信周波数による放送電波の受信強度が予め定められた所定の受信強度未満であった場合に、前記受信強度測定手段が測定した複数の放送電波の受信強度に係る情報を提示し、
前記受信周波数設定手段は、前記受信強度提示手段が提示した情報に対し所定の時間内に周波数を選択する操作が為された場合に、前記選択された周波数を前記放送受信周波数として設定し、前記所定の時間内に周波数を選択する操作が為されなかった場合に、前記受信強度測定手段が測定した複数の放送電波の内、最も受信強度が強い放送電波の周波数を放送受信周波数として自動的に設定することを特徴とする緊急告知放送受信装置。
【請求項２】
請求項１に記載の放送受信装置であって、
前記放送電波は、緊急告知情報を放送する放送電波であることを特徴とする緊急告知放送受信装置。
【発明の詳細な説明】
【技術分野】
【０００１】
本発明は、電波の受信強度を自動で測定し、放送エリアを意識することなく緊急告知放送を受信する緊急告知放送受信装置に関する。
【背景技術】
【０００２】
従来、災害情報を通知する手段として、各市町村で防災無線を適用している。しかし、防災無線では、スピーカーの音声が届かない場所が存在し、災害情報をすべての人が聴取することは不可能である。これを補うために、災害に関する情報を伝える放送である緊急告知放送が地震や津波等の災害発生時に放送された際に、ラジオなどの受信機やテレビジョン等に搭載された特定の機能を持つ受信機を自動的に動作させる技術が存在する（例えば特許文献１）。
【０００３】
しかしながら、特許文献１の方法によると、市町村ごとに複数の周波数が存在する緊急告知放送において、受信機を別の市町村に移動または移設した場合に災害情報を受信することができないといった問題があった。移動手段については、徒歩、車、電車、船、飛行機等による。
【先行技術文献】
【特許文献】
【０００４】
【特許文献１】特開２００８−１６０７８９号公報
【発明の概要】
【発明が解決しようとする課題】
【０００５】
そこで、本発明の課題は、地域ごとに災害情報を放送している周波数の受信強度を自動で測定して、一定値以上の受信強度の周波数を操作者に選択させる、または受信強度が最大の周波数を放送受信周波数として設定することにある。
【課題を解決するための手段】
【０００６】
上記、課題を解決するために本発明は、予め定められた複数の放送電波のいずれかを受信する放送受信装置であって、前記複数の放送電波の周波数および放送地域および放送局の系列に係る情報を予め関連付けて記憶しておく放送情報記憶手段と、前記放送情報記憶手段に記憶されている複数の周波数の全てまたは一部の周波数に対応する複数の放送電波を順次受信し前記受信した放送電波の各々の受信強度を測定する受信強度測定手段と、前記受信強度測定手段を定期的または非定期に起動する受信強度測定起動手段と、前記受信強度測定手段が測定した受信強度に係る情報を前記操作者へ提示する受信強度提示手段と、前記複数の周波数のいずれかを自受信装置を操作する操作者に選択させる操作者周波数選択手段と、前記複数の周波数のいずれかを放送受信周波数として設定する受信周波数設定手段と、を有し、前記受信強度測定起動手段は、現在設定されている放送受信周波数が設定されてから所定の時間が経過したか否かを判定し、所定の時間が経過したと判定した場合に前記受信強度測定手段を起動し、前記受信強度提示手段は、現在設定されている放送受信周波数による放送電波の受信強度が予め定められた所定の受信強度未満であった場合に、前記受信強度測定手段が測定した複数の放送電波の受信強度に係る情報を提示し、前記受信周波数設定手段は、前記受信強度提示手段が提示した情報に対し所定の時間内に周波数を選択する操作が為された場合に、前記選択された周波数を前記放送受信周波数として設定し、前記所定の時間内に周波数を選択する操作が為されなかった場合に、前記受信強度測定手段が測定した複数の放送電波の内、最も受信強度が強い放送電波の周波数を放送受信周波数として自動的に設定することを特徴とする。
【発明の効果】
【０００７】
本発明によれば、受信機を移動させても地域ごとに災害情報を放送している周波数の受信強度を自動で測定して、受信強度が最大の周波数を放送受信周波数として設定する。または、受信強度が一定値以上の周波数を操作者に選択させる受信装置を提供できる。
【図面の簡単な説明】
【０００８】
【図１】本発明による緊急告知放送受信装置に関わるブロック構成図である。
【図２】本発明による緊急告知放送受信装置の放送受信周波数テーブルである。
【図３】本発明による緊急告知放送受信装置の動作フローチャートである。
【発明を実施するための形態】
【０００９】
以下、本発明の実施形態について図面を参照しながら説明する。本発明による緊急告知放送受信装置を本装置と略すこともある。
【００１０】
図１は本発明による緊急告知放送受信装置１に係るブロック構成図である。本装置１は、受信部２、受信強度提示部３、操作部４、受信強度測定起動部５、受信強度測定部６、受信周波数設定部７、放送情報記憶部８、音声出力部９、制御部１０から構成される。
【００１１】
ここで、緊急告知放送とは、地域コミュニティラジオ局等が災害他に係る緊急情報の放送を行うものである。緊急告知放送の開始・終了時は、緊急告知放送を行う事業者が開始・終了用のＤＴＭＦ信号を送信し、これにより待機状態の受信機を起動、又は待機状態に戻す。開始・終了信号はＤＴＭＦ信号の他にも自然音を使用した方式も存在する。緊急告知放送の信号には、災害の開始・災害の終了の情報の他に、災害の種別情報（地震、津波、風水害等）や、緊急告知放送を提供するエリアの選択情報が含まれている。緊急告知放送の情報は、緊急告知放送を行う事業者が、緊急告知放送の情報を任意に変更することが可能である。
【００１２】
受信強度測定起動部５は、受信強度測定部６を起動する手段である。放送受信周波数が設定されてから一定時間経過した場合（例えば２時間）、または電源が投入された時に受信強度測定部６を起動する。
【００１３】
ここで、一定時間経過したか否かの判断方法として、例えば、図示しないメモリー（例えば、ＥＥ−ＰＲＯＭ、ＦＬＡＳＨ−ＲＯＭ等、電源がＯＦＦ状態でも情報が消えないメモリー）に放送受信周波数を設定した時刻を記憶しておき、一定時間経過したか判断する時にメモリーに記憶した放送受信周波数を設定した時間と、図示しないリアルタイムクロックを使用して現在の時間を比較すればよい。
【００１４】
受信強度測定部６は、制御部１０が受信強度測定部６を起動するタイミングを受信強度測定起動部５から受け取ることで起動される。放送情報記憶部８の放送受信周波数テーブル（図２に後述する）に記憶されている周波数の受信強度を測定し、測定した受信強度を更新する。
【００１５】
放送情報記憶部８は、放送受信周波数テーブルを記憶する。
【００１６】
受信強度提示部３は、受信強度測定部６によって測定された一定値以上の受信強度を有する周波数に係る情報を利用者にＬＣＤ等により提示する表示機器である。
【００１７】
操作部４は、本装置１の操作を行う為のボタン、キーボード、タッチパネル等により構成される入力機器である。
【００１８】
受信周波数設定部７は、受信強度提示部３が提示した周波数を操作部４から一定時間内（たとえば数分）に選択された場合、選択された周波数を受信すべき周波数として設定し、選択されなかった場合、一定値以上の受信強度を有する周波数のうち、受信強度が最も強い周波数を受信すべき周波数として設定する。
【００１９】
受信部２は、予め定められた放送周波数を受信する手段であって、受信周波数設定部７で設定された周波数または、受信強度測定部６で指定された周波数を受信する。
【００２０】
音声出力部９は、受信周波数設定部７で設定された受信周波数の音声を出力する。
【００２１】
制御部１０は、本装置１の全般を制御する手段であって、受信部２、受信強度提示部３、受信強度測定起動部５、受信強度測定部６、受信周波数設定部７の各部とデータを授受し制御する。例えば、受信部２から予め定められた周波数を受信し、受信強度測定起動部５から受信強度測定部６を起動するタイミグを受け取り、受信強度測定部を起動する。
【００２２】
図２は、本発明による緊急告知放送受信装置１の放送受信周波数テーブルに記憶される内容例を模式的に示した図である。放送受信周波数テーブル２００は、緊急告知放送の放送局の周波数を示す列２０１と、列２０１の周波数が使用されている地域の情報を示す列２０２と、列２０２の地域で放送されている放送局の情報を示す列２０３と、受信周波数設定部７で設定された周波数を示す列２０４と、受信強度測定部６で測定した受信強度を示す列２０５と、受信強度測定部６で測定した受信強度が一定値以上の受信強度を有する選択可能な周波数を示す列２０６より構成され、行２０７ごとに記憶されている。
【００２３】
放送受信周波数テーブル２００は、列２０１、列２０２、列２０３を予め記憶しておく。例えば、周波数が７６．３Ｍｈｚの放送局はＡ市とＢ市であり、Ａ市の放送局はＡＢＣ系列Ａコミュニティー放送局、Ｂ市の放送局はＤＥＦ系列のＢコミュニティー放送局である。
【００２４】
図３は、本発明による緊急告知放送受信装置１の制御部１０が行う動作フローチャートである。以下、図１〜３を用いて本フローチャートを説明する。本フローチャートは電源が投入された状態でスタートする。
【００２５】
Ｓ３００において、制御部１０は受信強度測定部６を起動し、受信強度測定部６が放送受信周波数テーブル２００に記憶されている全ての周波数の受信強度を測定し、放送情報記憶部８に記憶する。例えば、７６．３ＭＨｚの受信強度を測定し、列２０５に受信強度を４０ｄＢを記憶する。次に７８．２ＭＨｚの受信強度を測定し、列２０５に受信強度を６０ｄＢを記憶（例えば）する。このように放送受信周波数テーブル２００に記憶されている全ての受信周波数について受信強度を測定し記憶する。
【００２６】
Ｓ３０１において、放送受信周波数テーブル２００の列２０５に記憶した受信強度が一定値以上の周波数を選択可能周波数として列２０６に記憶する。例えば、受信強度が４０ｄＢ以上の周波数である７６．３ＭＨｚ、７８．２ＭＨｚ、９０．０ＭＨｚに対して列２０６にマーキング（１を記憶）する。
【００２７】
Ｓ３０２において、制御部１０は、受信強度提示部６を起動し、受信強度提示部６は放送受信周波数テーブル２００の列２０６にマーキングされている列２０１と列２０２と列２０３と列２０５を表示する。
【００２８】
Ｓ３０３において、受信強度提示部３から提示された周波数が一定時間内に選択された場合（Ｓ３０３、ＹＥＳ）、選択された周波数を放送受信周波数に設定し、列２０４にマーキング（１を記憶）する（Ｓ３０４）。一定時間内に選択されなかった場合（Ｓ３０３、ＮＯ）、列２０６にマーキングされている周波数の内、最も受信強度が高い周波数である７８．２ＭＨｚを放送受信周波数に設定する（Ｓ３０５）。
【００２９】
Ｓ３０６において、受信強度測定起動部５は放送受信周波数が設定されてから一定時間（例えば２時間）経過したか否かを判断し、一定時間経過していると判断した場合（Ｓ３０６、ＹＥＳ）、Ｓ３００へ戻り、全ての周波数を測定し直す。一定時間経過していないと判断した場合（Ｓ３０６、Ｎｏ）、Ｓ３０７へ進む。
【００３０】
Ｓ３０７において、列２０４にマーキングされている、現在設定されている放送受信周波数の受信強度を測定し、列２０５の受信強度を更新する。
【００３１】
Ｓ３０８において、Ｓ３０７で更新した受信強度が一定値未満（例えば、４０ｄＢ未満）の場合（Ｓ３０８、ＹＥＳ）、Ｓ３０９へ進む。受信強度が一定値以上（例えば４０ｄＢ以上）の場合、（Ｓ３０８、ＮＯ）、Ｓ３０６へ戻り、一定時間（例えば２時間）が経過するまでＳ３０６〜Ｓ３０８を繰り返す。
【００３２】
Ｓ３０９において、列２０６に記憶されているすべての周波数の受信強度を更新する。
【００３３】
Ｓ３１０において、列２０６に記憶されている周波数の受信強度が全て一定値未満（例えば、４０ｄＢ未満）の場合（Ｓ３１０、ＹＥＳ）、Ｓ３００へ戻り、全ての周波数を測定し直す。列２０６に記憶されている周波数の受信強度が全て一定値未満（例えば、４０ｄＢ未満）でない場合（Ｓ３１０、ＮＯ）、Ｓ３０２に戻る。
【００３４】
以上、本発明の実施形態について説明した。尚、本発明は要旨の範囲内であれば種々の変更が可能であり、本実施例にのみ限定されるものではない。
【００３５】
例えば、Ｓ３０７において現在設定されている周波数の受信強度のみを更新するように構成しているが、本装置が異動したことを考えればＳ３０９の選択可能周波数に設定されている周波数の受信強度を先に更新しても良い。
【００３６】
また、Ｓ３０８において現在設定されている周波数の受信強度が一定値以下だった場合、もしくはＳ３１０で選択可能周波数に設定されている周波数に一定値以上の周波数があった場合でも、受信強度提示部３に選択可能周波数から選択するか、全周波数を測定し直すかという選択肢を提示し、利用者の選択によりＳ３００へ戻って全ての周波数を測定するようにしても良い。
【符号の説明】
【００３７】
１・・・緊急告知放送受信機
２・・・受信部
３・・・受信強度提示部
４・・・操作者部
５・・・受信強度測定起動部
６・・・受信強度測定部
７・・・受信周波数設定部
８・・・放送情報記憶部
９・・・音声出力部
【図１】
0006314780.tif 000002
【図２】
0006314780.tif 000003
【図３】
0006314780.tif 000004